【手続補正書】
【提出日】平成27年2月10日(2015.2.10)
【手続補正１】
【補正対象書類名】特許請求の範囲
【補正対象項目名】全文
【補正方法】変更
【補正の内容】
【特許請求の範囲】
【請求項１】
記録装置であって、
記録媒体に情報を記録する記録部と、
前記情報が記録された前記記録媒体が排出される排出部が配置される正面に対して反対側となる背面に形成され、前記記録媒体を差し込み可能な手差し用開口部と、
前記手差し用開口部に差し込み可能な前記記録媒体をガイドする手差し用トレイと、
前記手差し用開口部から差し込まれた前記記録媒体を記録部に導くガイド機構と、
を備え、
前記手差し用トレイは、鉛直方向に沿って起立した起立位置と、前記記録媒体を装填可能な装填可能位置とに移動可能であり、前記装填位置では前記手差し用トレイを延長して引き出すことができ、
前記起立位置および前記装填可能位置における前記手差し用トレイを最も延長して引き出した際の最上位置は、前記記録装置の最上位置よりも低い、
ことを特徴とする記録装置。
【請求項２】
前記記録媒体を第１媒体とし、前記第１媒体とは異なる第２媒体を載置する載置部と、
前記載置部から給送される前記第２媒体を反転する中間ローラーと、
前記中間ローラーにより反転された前記第２媒体を前記記録部に搬送する搬送ローラーと、
前記手差し用トレイに設けられ、前記起立位置と前記装填可能位置とを回動可能に移動するための支点と、を備え、
前記支点は、上面視した際に、前記中間ローラーと重なる位置に設けられている
ことを特徴とする請求項１記載の記録装置。
【請求項３】
前記第１媒体は、前記ガイド機構によって前記中間ローラーと前記搬送ローラーとの間の経路に合流する
ことを特徴とする請求項２記載の記録装置。
【請求項４】
原稿に記録された情報を読み取るスキャナーを前記記録装置の上面に備え、
前記起立位置および前記装填可能位置における前記手差し用トレイを最も延長して引き出した際の最上位置は、前記スキャナーの最上位位置よりも低い
ことを特徴とする請求項１乃至３のいずれか一項に記載の記録装置。
【請求項５】
記録装置であって、
記録媒体に情報を記録する記録部と、
前記情報が記録された前記記録媒体が排出される排出部が配置される正面に対して反対側となる背面に形成され、前記記録媒体を差し込み可能な手差し用開口部と、
前記手差し用開口部に差し込み可能な前記記録媒体をガイドする手差し用トレイと、
前記手差し用開口部から差し込まれた前記記録媒体を記録部に導くガイド機構と、
を備え、
前記手差し用トレイは、鉛直方向に沿って起立した起立位置と、前記記録媒体を装填可能な装填可能位置とに移動可能であり、前記手差し用開口部側に配置される第１トレイと、前記第１トレイの前記手差し用開口部から離れる方向の先端部に回転可能に支持され収納位置と使用位置とに回転可能な第２トレイとを有し、
前記起立位置に配置された状態の前記手差し用トレイの最上位置と、前記装填可能位置に配置されると共に前記第２トレイが前記使用位置に配置された状態の前記手差し用トレイの最上位置とは、前記記録装置の最上位置よりも低い、
ことを特徴とする記録装置。
【請求項６】
前記記録媒体を第１媒体とし、前記第１媒体とは異なる第２媒体を載置する載置部と、
前記載置部から給送される前記第２媒体を反転する中間ローラーと、
前記中間ローラーにより反転された前記第２媒体を前記記録部に搬送する搬送ローラーと、
前記手差し用トレイに設けられ、前記起立位置と前記装填可能位置とを回動可能に移動するための支点は、上面視した際に、前記中間ローラーと重なる位置に設けられている
ことを特徴とする請求項５記載の記録装置。
【請求項７】
前記第１媒体は、前記ガイド機構によって前記中間ローラーと前記搬送ローラーとの間の経路に合流する
ことを特徴とする請求項６記載の記録装置。
【請求項８】
原稿に記録された情報を読み取るスキャナーを前記記録装置の上面に備え、
前記起立位置および前記装填可能位置に配置されると共に前記第２トレイが前記使用位置に配置された状態の前記手差し用トレイの最上位置は、前記スキャナーの最上位位置よりも低い
ことを特徴とする請求項１乃至３のいずれか一項に記載の記録装置。
【手続補正２】
【補正対象書類名】明細書
【補正対象項目名】０００６
【補正方法】変更
【補正の内容】
【０００６】
上記課題を解決するために、記録装置であって、  記録媒体に情報を記録する記録部と、
情報が記録された記録媒体が排出される排出部が配置される正面に対して反対側となる背面に形成され、記録媒体を差し込み可能な手差し用開口部と、手差し用開口部に差し込み可能な記録媒体をガイドする手差し用トレイと、手差し用開口部から差し込まれた記録媒体を記録部に導くガイド機構とを備え、手差し用トレイは、鉛直方向に沿って起立した起立位置と、記録媒体を装填可能な装填可能位置とに移動可能であり、装填位置では手差し用トレイを延長して引き出すことができ、起立位置および装填可能位置における手差し用トレイを最も延長して引き出した際の最上位置は、記録装置の最上位置よりも低いこととする。
【手続補正３】
【補正対象書類名】明細書
【補正対象項目名】０００７
【補正方法】変更
【補正の内容】
【０００７】
記録装置をこのように構成することで、記録装置が手差し用トレイに記録用紙を装填可能な状態にあるときを含めて、記録装置の配置スペースを小さくすることができ、記録装置の配置場所の制限を少なくすることができる。
また、上述の発明に加えて、本発明の記録装置は、前記記録媒体を第１媒体とし、前記第１媒体とは異なる第２媒体を載置する載置部と、  前記載置部から給送される前記第２媒体を反転する中間ローラーと、前記中間ローラーにより反転された前記第２媒体を前記記録部に搬送する搬送ローラーと、前記手差し用トレイに設けられ、前記起立位置と前記装填可能位置とを回動可能に移動するための支点と、を備え、前記支点は、上面視した際に、前記中間ローラーと重なる位置に設けられていることが好ましい。
また、上述の発明に加えて、本発明の記録装置は、前記第１媒体は、前記ガイド機構によって前記中間ローラーと前記搬送ローラーとの間の経路に合流することが好ましい。
また、上述の発明に加えて、本発明の記録装置は、原稿に記録された情報を読み取るスキャナーを前記記録装置の上面に備え、前記起立位置および前記装填可能位置における前記手差し用トレイを最も延長して引き出した際の最上位置は、前記スキャナーの最上位位置よりも低いことが好ましい。
【手続補正４】
【補正対象書類名】明細書
【補正対象項目名】００１６
【補正方法】変更
【補正の内容】
【００１６】
上記課題を解決するために、記録装置であって、  記録媒体に情報を記録する記録部と、
情報が記録された記録媒体が排出される排出部が配置される正面に対して反対側となる背面に形成され、記録媒体を差し込み可能な手差し用開口部と、手差し用開口部に差し込み可能な記録媒体をガイドする手差し用トレイと、手差し用開口部から差し込まれた記録媒体を記録部に導くガイド機構とを備え、手差し用トレイは、鉛直方向に沿って起立した起立位置と、記録媒体を装填可能な装填可能位置とに移動可能であり、手差し用開口部側に配置される第１トレイと、第１トレイの手差し用開口部から離れる方向の先端部に回転可能に支持され、収納位置と使用位置とに回転可能な第２トレイとを有し、起立位置に配置された状態の手差し用トレイの最上位置と、装填可能位置に配置されると共に第２トレイが使用位置に配置された状態の手差し用トレイの最上位置とは、記録装置の最上位置よりも低いこととする。
【手続補正５】
【補正対象書類名】明細書
【補正対象項目名】００１７
【補正方法】変更
【補正の内容】
【００１７】
記録装置をこのように構成することで、記録装置が手差し用トレイに記録用紙を装填可能な状態にあるときを含めて、記録装置の配置スペースを小さくすることができ、記録装置の配置場所の制限を少なくすることができる。
また、上述の発明に加えて、本発明の記録装置は、前記記録媒体を第１媒体とし、前記第１媒体とは異なる第２媒体を載置する載置部と、前記載置部から給送される前記第２媒体を反転する中間ローラーと、前記中間ローラーにより反転された前記第２媒体を前記記録部に搬送する搬送ローラーと、前記手差し用トレイに設けられ、前記起立位置と前記装填可能位置とを回動可能に移動するための支点は、上面視した際に、前記中間ローラーと重なる位置に設けられていることが好ましい
また、上述の発明に加えて、本発明の記録装置は、前記第１媒体は、前記ガイド機構によって前記中間ローラーと前記搬送ローラーとの間の経路に合流することが好ましい。
また、上述の発明に加えて、本発明の記録装置は、  前記起立位置および前記装填可能位置に配置されると共に前記第２トレイが前記使用位置に配置された状態の前記手差し用トレイの最上位置は、前記スキャナーの最上位位置よりも低いことが好ましい。